(57)【特許請求の範囲】
【請求項１】
上端が開口して底部が閉じたガラス製の管体によって形成されており、上側の胴部分と、その下側の濃縮部分とを有し、濃縮部分は胴部分より径が細く、胴部分の下端から濃縮部分の上端に至る範囲は径が次第に細くなる絞り部分によって連続的に形成されており、この絞り部分と濃縮部分の境界ないし境界付近に、濃縮部分を胴部分から切り離す切断ラインが設けられており、切断ラインの部分はガラス管の菅壁肉厚が極薄に形成されて切り込みによって折り取れるように形成されており、この切断ラインより下側の部分または濃縮部分の先端がオートサンプラ用バイアルビンの入口よりも径が細く形成されており、濃縮部分をオートサンプラ用バイアルビンに差し込んで胴部分から切り離し、濃縮部分に溜まった試料液の測定に用いることを特徴とする液体濃縮菅。
【請求項２】
胴部分から濃縮部分の先端にかけて管体の径が二段階に細く形成されており、第一段目の絞り部分は管体の径が濃縮部分の径まで細く形成され、濃縮部分は一定の長さを保ち、第二段目の濃縮部分先端はバイアルビン入口に差し込めるよう更に細く形成されている請求項１に記載する液体濃縮管。
【請求項３】
濃縮部分の先端または濃縮部分の本体部分をオートサンプラ用バイアルビンに差し込み、バイアルビンの口の高さに合わせて濃縮部分の高さを調整した後に切断ラインに沿って濃縮分を胴部分から切り離し、バイアルビンに差し込まれた状態で濃縮部分を保持させる請求項１または２に記載する液体濃縮管。
【発明の詳細な説明】
【０００１】
【発明の属する技術分野】
本発明は、化学分析などにおいて用いられる液体濃縮菅に関する。より詳しくは、試料液を濃縮するために下端部が細く形成された液体濃縮菅に関する。
【０００２】
【従来の技術】
オートサンプラーを用いて分析を行う場合、試料液はバイアルビンに入れてオートサンプラーに設置する。この試料液の液量が少ないときにはバイアルビンにインサートを挿入し、この中に試料液を入れて用いる。ダイオキシン分析などでは液中の微量成分を分析するため、インサート内の溶液をさらに濃縮して試料液とする。
【０００３】
このように、従来はインサートに試料液を入れる前に、試料液を濃縮用試験管で濃縮し、これをインサートに移液した後にさらに濃縮を行っている。濃縮に用いている従来の試験管を図２に示す。図示するように、従来の濃縮用試験管は底部が閉じた管体２０からなり、上端の開口から試料液が注入される上側の胴部分２１と、胴部分から底部に至る先細りの濃縮部分２２によって形成されている。胴部分２１と濃縮部分２２との間は絞り部分２３によって連続的に形成されている。
【０００４】
オートサンプラーを用いて試料液を分析する場合には、先ず試料液を図示する試験管に取り分け、窒素ガスを吹き付けて濃縮する。この試験管２０の胴部分まで注入した試料液は液分を蒸発させて濃縮するのに伴い、液量が減少して濃縮部分２２に溜まる。この濃縮部分２２の径は胴部分２１よりは細いが、オートサンプラーのインサート入口よりは太いので、濃縮した試料液をオートサンプラーのインサートに移液し、さらに窒素を吹き付けて濃縮したものを測定に用いる。
【０００５】
【発明が解決しようとする課題】
従来は試料液を濃縮する場合に、試験管への移液と濃縮に手間がかかり、これに伴う容器の洗浄も多いと云う問題がある。具体的には、例えば、容器の洗浄は少量の洗浄溶媒(ヘキサン等)を入れ、パスツールピペットを使用して、容器の壁面を十分に洗浄した後に、この洗浄液を濃縮用試験管に移液し、この操作を計３回繰り返しており、また、窒素を吹き付けて濃縮する場合、試料液の液量が減少するのに合わせて窒素の吹き出しノズルを下げて吹付けを行っており、試料液をサンプラーに設置するまでの間に移液する回数が多いと洗浄などの手間が飛躍的に増加し、分析時間が大幅にかかると云う問題がある。特にダイオキシンの分析などでは短時間での分析が求められ、また試薬の使用量も少ないことが望ましい。
【０００６】
本発明は、従来の濃縮操作における上記問題を解決したものであり、試料液の移液と濃縮の回数が少なく、従って、試薬の必要量も少なくて済み、現行の作業時間を約半分に短縮でき、しかも試料の回収もより確実にできると共に空試験値軽減も期待できる濃縮管を提供するものである。
【０００７】
【課題を解決する手段】
すなわち、本発明によれば以下の液体濃縮管が提供される。
〔１〕上端が開口して底部が閉じたガラス製の管体によって形成されており、上側の胴部分と、その下側の濃縮部分とを有し、濃縮部分は胴部分より径が細く、胴部分の下端から濃縮部分の上端に至る範囲は径が次第に細くなる絞り部分によって連続的に形成されており、この絞り部分と濃縮部分の境界ないし境界付近に、濃縮部分を胴部分から切り離す切断ラインが設けられており、切断ラインの部分はガラス管の菅壁肉厚が極薄に形成されて切り込みによって折り取れるように形成されており、この切断ラインより下側の部分または濃縮部分の先端がオートサンプラ用バイアルビンの入口よりも径が細く形成されており、濃縮部分をオートサンプラ用バイアルビンに差し込んで胴部分から切り離し、濃縮部分に溜まった試料液の測定に用いることを特徴とする液体濃縮菅。
〔２〕胴部分から濃縮部分の先端にかけて管体の径が二段階に細く形成されており、第一段目の絞り部分は管体の径が濃縮部分の径まで細く形成され、濃縮部分は一定の長さを保ち、第二段目の濃縮部分先端はバイアルビン入口に差し込めるよう更に細く形成されている上記[１]に記載する液体濃縮管。
〔３〕濃縮部分の先端または濃縮部分の本体部分をオートサンプラ用バイアルビンに差し込み、バイアルビンの口の高さに合わせて濃縮部分の高さを調整した後に切断ラインに沿って濃縮分を胴部分から切り離し、バイアルビンに差し込まれた状態で濃縮部分を保持させる上記[１]または上記[２]に記載する液体濃縮管。
【０００８】
以下、本発明の液体濃縮管を図面に示す実施例に基づいて具体的に説明する。
本発明の液体濃縮管を図１に示す。図示する液体濃縮管１０は上端が開口する一方、底部１６が閉じたガラス製の管体によって形成されている。この濃縮管１０は管体の大部分を占める上側の胴部分１１と、その下側の濃縮部分１２とを有し、濃縮部分１２は胴部分１１より径が細く、胴部分１１の下端から濃縮部分１２の上端に至る範囲は径が次第に細くなる絞り部分１３によって連続的に形成されている。この絞り部分１３と濃縮部分１２の境界ないし境界付近に、濃縮部分１２を胴部分１１から切り離す切断ライン１７が設けられており、切断ライン１７の部分はガラス管の菅壁肉厚が極薄に形成されており、板ヤスリ等で切り込みを入れることによって容易に切り口から折り取れるように形成されている。
【０００９】
また、好ましくは、濃縮部分１２の切断ライン１７より下側の部分、または濃縮部分１２の先端１４はオートサンプラ用バイアルビンの入口（図示省略）に差し込めるように、この入口よりも径が細く形成されている。図示する実施例では胴部分１１から濃縮部分１２の先端にかけて管体の径が二段階に細く形成されている。すなわち、第一段目の絞り部分１３で管体の径が濃縮部分１２の径まで細く形成され、濃縮部分１２は一定の長さを保ち、第二段目の濃縮部分先端はバイアルビン入口に差し込めるよう更に細く形成されている。なお、胴部分１１から濃縮部分先端に至る管体の径は二段階以上に細く形成しても良い。
【００１０】
濃縮管の具体的な寸法として、例えば、胴部分１１の管長８０〜９０mm、内径１０〜２０mmとし、濃縮部分１２の管長３０〜４０mm、外径３〜７mmとし、濃縮部分１２の先端を外径２〜３mmに形成し、絞り部分に切り込みを設けることにより、試料液を１μl〜３００μl程度まで濃縮でき、濃縮部分をバイアルビンに差し込んで胴部分から切り離して測定に用いることができる液体濃縮管を得ることができる。
【００１１】
本発明の上記濃縮管１０は、濃縮部分１２の先端、または濃縮部分１２の本体部分をオートサンプラ用バイアルビン(図示省略)に差し込み、バイアルビンの口の高さに合わせて濃縮部分１２の高さを調整した後、切断ライン１７に沿って濃縮分１２を胴部分１１から切り離し、バイアルビンに差し込まれた状態で濃縮部分１２を保持させ、ここに溜まった試料液を測定に用いる。
【００１２】
より具体的には、例えば、ピペットを用いてフラスコに入っている試料液を本発明の濃縮管に移液し、さらにフラスコの壁面を少量のヘキサンを用いて十分に洗浄した後に、ピペットを用いて洗浄液を本発明の濃縮管に移液する。この洗浄を計３回繰り返して洗浄液を全て濃縮管に移し、この濃縮管を窒素吹き付け装置にセットする。濃縮管内部の液上面が窒素によって僅かに揺れる程度に窒素を吹き付けながら、試料液の液分を蒸発させて濃縮する。試料液の液量が減少するのに合わせて窒素の吹出口を下げていき、目的の濃度、例えば約２０μlまで濃縮する。
【００１３】
濃縮した試料液が溜まった濃縮部分に緩衝材(図示省略)を取り付けて、オートサンプラー用バイアルビンに差し込み、パイアルビンの口の高さに合わせて濃縮部分の高さを調整して保持させる。次に、板ヤスリなどを用いて濃縮部分の切断ラインに沿って切り口を入れ、胴部分を切り口から折り取り、濃縮部分をパイアルビンに残す。この状態でバイアルビンをキャップで閉め、オートサンプラー用ラックに載置して測定に用いる。
【００１４】
【発明の効果】
本発明によれば、試料液を直接に濃縮し、濃縮した部分をバイアルビンに差し込み、胴部分から切り離してセットすることにより、そのままオートサンプラーに設置することができるので、移液と濃縮を一度で済ますことができる。このため移液と濃縮の回数が減り、分析時間および試薬の使用量などを大幅に低減することができる。また、移液の回数が減るので目的の試料をより確実に回収することができる。
【図面の簡単な説明】
【図１】  本発明に係る液体濃縮管の概略断面図
【図２】  従来の濃縮用試験管の概略断面図
【符号の説明】
１０−管体、１１−胴部分、１２−濃縮部分、１３−絞り部分、１４−先端、１５−開口、１６−底部、１７−切断ライン、２０−試験管、２１−胴部分、２２−濃縮部分、２３−絞り部分。
【図１】
0004265113.tif 000002
【図２】
0004265113.tif 000003